【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
その上のタッチ事象を感知するよう構成されたタッチセンシングパネルと、前記タッチセンシングパネルの物理的変形又は変位を含むピック事象を感知するよう構成された機械センサとを含むユーザインターフェースデバイスと、
前記ユーザインターフェースデバイスから感知されたタッチ及びピック事象を定義するユーザ入力データを受け取り、前記ユーザ入力データを調べて、意図しないユーザ入力が前記ユーザ入力データに影響を与えている可能性があるかどうかを判定し、前記ユーザ入力データを修正して前記意図しないユーザ入力の影響を取り除くようにする、よう構成された修正モジュールと、
を備えたデバイス。
【請求項２】
前記タッチセンシングパネルがマルチタッチセンシングパネルである、
ことを特徴とする請求項１に記載のデバイス。
【請求項３】
前記修正モジュールは、ピック入力がタッチ入力と同時に入力され、前記タッチ入力が、
複数の指タッチ入力であって他のタッチ入力が受け取られなかったときに、
前記マルチタッチパネルの端部の指タッチ入力であるときに、又は、
前記マルチタッチパネルの側部近くに位置付けられた手掌タッチ入力及び前記マルチタッチパネルの上部に位置付けられていない指タッチ入力であるときに、
前記ピック入力の修正を行わないように構成されている、
ことを特徴とする請求項２に記載のデバイス。
【請求項４】
前記修正モジュールは、ピック入力がタッチ入力と同時に入力され、前記タッチ入力が、
複数の指タッチ入力であって且つ前記指タッチ入力の数が予め定められた数よりも大きいときに、
前記マルチタッチパネルの側部近くに位置付けられた１つ又はそれ以上の手掌タッチ入力であるときに、
前記マルチタッチパネルの側部近くに位置付けられた手掌タッチ入力及び前記マルチタッチパネルの上部に位置付けられた指タッチ入力であるときに、又は
前記マルチタッチパネルの側部近くに位置付けられた手掌タッチ入力及び前記マルチタッチパネルの上部に位置付けられた指タッチ入力であるときに、
前記ピック入力を拒否するよう構成されている、
ことを特徴とする請求項２に記載のデバイス。
【請求項５】
進行中のジェスチャーの一部であると前記修正モジュールによって認識されたタッチ入力が入力されている間に前記ピック入力が入力されたときには、前記修正モジュールは、ピック入力を拒否するよう構成される、
ことを特徴とする請求項２に記載のデバイス。
【請求項６】
前記修正モジュールは、１つ又はそれ以上の指タッチ入力を示す入力データを受け取り、前記指タッチ入力の少なくとも１つは、非ゼロ速度及びピック入力を有し、前記修正モジュールは、前記ピック入力の検出後に非ゼロ時間期間に非ゼロ速度を有する全ての指タッチ入力の速度を修正するよう構成される、
ことを特徴とする請求項２に記載のデバイス。
【請求項７】
前記速度の修正量は、前記ピック入力の検出からの時間が経過するにつれて低減される、
ことを特徴とする請求項６に記載のデバイス。
【請求項８】
前記修正モジュールは、少なくとも１つが非ゼロ速度を有する１つ又はそれ以上の指タッチ入力と、進行中のピック入力の中断とを示す入力データを受け取り、前記修正モジュールは、前記進行中のピック入力の中断後に非ゼロ時間期間に非ゼロ速度を有する全ての指タッチ入力の速度を修正するよう構成される、
ことを特徴とする請求項２に記載のデバイス。
【請求項９】
タッチセンシングパネル上のタッチ事象と、前記タッチセンシングパネルの物理的変形又は変位を含むピック事象とを検出できる組合せユーザインターフェースデバイスによって検出されたユーザインターフェース事象を処理する方法であって、
前記ユーザインターフェースデバイスから感知されたタッチ及びピック事象を定義するユーザ入力データを受け取る段階と、
前記ユーザ入力データを調べて、意図しないユーザ入力が前記ユーザ入力データに影響を与えている可能性があるかどうかを判定する段階と、
前記ユーザ入力データを修正して前記意図しないユーザ入力の影響を取り除く段階と、を含む方法。
【請求項１０】
複数の指タッチ入力と同時に入力されたピック入力を示すと共に他のタッチ入力がないことを示すユーザ入力データを受け取る段階と、
前記ピック入力に修正を行わない段階と、
を更に含む、
請求項９に記載の方法。
【請求項１１】
予め定められた数よりも多い複数の指タッチ入力と同時に入力されたピック入力を示すユーザ入力データを受け取る段階と、
前記ピック入力を拒否する段階と、
を更に含む、
請求項９に記載の方法。
【請求項１２】
前記マルチタッチパネルの端部で指タッチ入力と同時に入力されたピック入力を示すユーザ入力データを受け取る段階と、
前記ピック入力に修正を行わない段階と、
を更に含む、
請求項９に記載の方法。
【請求項１３】
前記マルチタッチパネルの側部近くに位置付けられた１つ又はそれ以上の手掌タッチ入力と同時に入力されたピック入力を示すユーザ入力データを受け取る段階と、
前記ピック入力を拒否する段階と、
を更に含む、
請求項９に記載の方法。
【請求項１４】
前記マルチタッチパネルの側部近くに位置付けられた手掌タッチ入力及び前記マルチタッチパネルの上部に位置付けられた指タッチ入力と同時に入力されたピック入力を示すユーザ入力データを受け取る段階と、
前記ピック入力を拒否する段階と、
を更に含む請求項９に記載の方法。
【請求項１５】
前記マルチタッチパネルの側部近くに位置付けられた手掌タッチ入力及び前記マルチタッチパネルの上部に位置付けられていない指タッチ入力と同時に入力されたピック入力を示すユーザ入力データを受け取る段階と、
前記ピック入力に修正を行わない段階と、
を更に含む請求項９に記載の方法。
【請求項１６】
前記マルチタッチパネルの側部近くに位置付けられた手掌タッチ入力及び前記マルチタッチパネルの上部に位置付けられた指タッチ入力と同時に入力されたピック入力を示すユーザ入力データを受け取る段階と、
前記ピック入力を拒否する段階と、
を更に含む請求項９に記載の方法。
【請求項１７】
複数の移動しているタッチ入力を示すユーザ入力データを受け取る段階と、
前記複数の移動しているタッチ入力を進行中のタッチジェスチャーの一部として認識する段階と、
進行中のジェスチャーの一部として認識された前記タッチ入力が入力されている間に入力されているピック入力を示すユーザ入力データを受け取る段階と、
前記ピック入力を拒否する段階と、
を更に含む請求項９に記載の方法。
【請求項１８】
少なくとも１つが非ゼロ速度を有する１つ又はそれ以上の指タッチ入力と、ピック入力とを示す入力データを受け取る段階と、
前記ピック入力の検出後に非ゼロ時間期間に非ゼロ速度を有する全ての指タッチ入力の速度を修正する段階と、
を更に含む請求項９に記載の方法。
【請求項１９】
前記速度の修正量は、前記ピック入力の検出からの時間が経過するにつれて低減される、
請求項１８に記載の方法。
【請求項２０】
少なくとも１つが非ゼロ速度を有する１つ又はそれ以上の指タッチ入力と、進行中のピック入力の中断とを示す入力データを受け取る段階と、
前記進行中のピック入力の中断後の非ゼロ時間期間に非ゼロ速度を有する全ての指タッチ入力の速度を修正する段階と、
を更に含む請求項９に記載の方法。